(57)【要約】【課題】表示装置が備えるディスプレイの表示領域の一部がセンターコンソール部に隠蔽されている場合でも、隠蔽されていない表示領域を利用して、ナビゲーション情報を継続して提供すること。【解決手段】制御部が、表示内容切替処理において、表示部のディスプレイがセンターコンソール部に格納されていると判断された場合において（Ｓ１２０：ＹＥＳ）、ナビゲーション案内中であると判断された場合には（Ｓ１３０：ＹＥＳ）、ナビゲーション情報を取得し、その取得したナビゲーション情報から「Ｔｕｒｎ  ｂｙ  Ｔｕｒｎ」画像を生成し、その生成した「Ｔｕｒｎ  ｂｙ  Ｔｕｒｎ」画像をディスプレイの表示領域の露出領域に表示させる（Ｓ１４０）。このことにより、ディスプレイの表示領域の一部がセンターコンソール部に隠蔽されている場合でも、隠蔽されていない領域である露出領域を利用して、ナビゲーション情報を継続して提供することができる。【選択図】図２
2008230356.tif 000002
【特許請求の範囲】
【請求項１】
車両の運行に伴う種々の情報を表示可能な表示領域を有し、前記車両のセンターコンソール部の内部に前記表示領域の一部が隠蔽される隠蔽位置と前記センターコンソール部から前記表示領域すべてが露出する露出位置との間で移動可能なディスプレイと、
前記ディスプレイを前記隠蔽位置と前記露出位置との間で移動させるディスプレイ移動手段と、
制御信号に応じて、前記ディスプレイ移動手段を制御することによって前記ディスプレイの位置を前記隠蔽位置と前記露出位置とで切り替える位置制御手段と、
ナビゲーション情報を取得可能なナビゲーション情報取得手段と、
前記露出位置にある前記ディスプレイの前記表示領域に表示させるための第一の画像を前記ナビゲーション情報取得手段によって取得されたナビゲーション情報から生成し、前記隠蔽位置にある前記ディスプレイの前記表示領域における前記センターコンソール部から露出する部分である露出領域に表示させるための第二の画像を前記ナビゲーション情報取得手段によって取得された前記ナビゲーション情報から生成する画像生成手段と、
前記ディスプレイが前記露出位置にある場合には前記画像生成手段によって生成された第一の画像を前記ディスプレイの前記表示領域に表示させ、一方、前記ディスプレイが前記隠蔽位置にある場合において前記ナビゲーション情報取得手段がナビゲーション情報を取得中であるときには前記画像生成手段によって生成された第二の画像を前記ディスプレイの前記露出領域に表示させる報知制御手段と、
を備えることを特徴とする表示装置。
【請求項２】
請求項１に記載の表示装置において、
前記ナビゲーション情報には音声によるガイダンスを示すガイダンス情報が含まれており、
前記ガイダンス情報に基づいて音声を出力可能なスピーカを備え、
前記報知制御手段は、前記ディスプレイが前記隠蔽位置にある場合において前記ナビゲーション情報取得手段がナビゲーション情報を取得中であるときには、前記ナビゲーション情報取得手段によって取得されたナビゲーション情報に含まれるガイダンス情報に基づいて音声を前記スピーカに出力させること
を特徴とする表示装置。
【請求項３】
請求項２に記載の表示装置において、
前記ナビゲーション情報に含まれる前記ガイダンス情報には、画像によるナビゲーションが行われる場合に音声を出力するための第一のガイダンス情報と、画像によるナビゲーションが行われない場合に音声を出力するための第二のガイダンス情報と、が含まれており、
前記報知制御手段は、前記ディスプレイが前記隠蔽位置にある場合において前記ナビゲーション情報取得手段が前記ナビゲーション情報を取得中であるときには、前記ナビゲーション情報に含まれる前記ガイダンス情報のうち前記第二のガイダンス情報に基づいて音声を前記スピーカに出力させること
を特徴とする表示装置。
【請求項４】
請求項１〜請求項３の何れかに記載の表示装置において、
車両情報またはオーディオ情報を取得可能な車両情報・オーディオ情報取得手段を備え、
前記画像生成手段は、前記ディスプレイの前記露出領域に表示させるための第三の画像を前記車両情報・オーディオ情報取得手段によって取得された車両情報またはオーディオ情報から生成し、
前記報知制御手段は、前記ディスプレイが前記隠蔽位置にある場合において前記ナビゲーション情報取得手段がナビゲーション情報を取得中ではないときには前記画像生成手段によって生成された第三の画像を前記ディスプレイの前記露出領域に表示させること
を特徴とする表示装置。
【発明の詳細な説明】
【技術分野】
【０００１】
本発明は、運転者の近傍に配置され、ナビゲーション装置等によって出力される視覚情報を表示する表示装置に関する。
【背景技術】
【０００２】
一般的に、ナビゲーション装置によって出力される視覚情報（例えば、地図情報や、経路情報や、施設情報等）は、車両のコンソールボックスに配置された表示装置（例えば、液晶ディスプレイ等）に表示されて運転者に伝達されるようになっている（例えば、特許文献１参照。）。
【０００３】
また、この種の表示装置の中には、液晶ディスプレイをダッシュボードやセンターコンソール部に収納可能に構成された可動式ディスプレイを有する表示装置がある。
【特許文献１】特開平０５−２４４８５号公報
【発明の開示】
【発明が解決しようとする課題】
【０００４】
しかし、可動式ディスプレイを備える表示装置においては、可動式ディスプレイの一部をインパネなどに収納した場合にその表示領域の一部が隠蔽されるため、ナビゲーションの地図などの表示内容が一部見えなくなるという問題があった。
【０００５】
本発明は、このような不具合に鑑みなされたものであり、その目的とするところは、表示装置が備えるディスプレイの表示領域の一部がセンターコンソール部に隠蔽されている場合でも、隠蔽されていない表示領域を利用して、ナビゲーション情報を継続して提供することにある。
【課題を解決するための手段】
【０００６】
上記課題を解決するためになされた請求項１に係る表示装置は、ディスプレイの表示領域の一部がセンターコンソール部に隠蔽されている場合には、ディスプレイの表示領域における隠蔽されていない部分である露出領域に表示するための画像をナビゲーション情報から生成し、その生成した画像をディスプレイの露出領域に表示することを特徴とする。
【０００７】
具体的には、上述の表示装置は、車両の運行に伴う種々の情報を表示可能な表示領域を有するディスプレイを備える。このディスプレイは、「隠蔽位置」と「露出位置」との間で移動可能である。なお、隠蔽位置とは、車両のセンターコンソール部の内部に表示領域の一部が隠蔽される位置を云い、露出位置とは、センターコンソール部から表示領域が露出する位置を云う。また、ディスプレイ移動手段が、ディスプレイを隠蔽位置と露出位置との間で移動させることが可能であり、位置制御手段が、制御信号に応じて、ディスプレイ移動手段を制御することによってディスプレイの位置を隠蔽位置と露出位置とで切り替える。また、ナビゲーション情報取得手段がナビゲーション情報を取得可能である。
【０００８】
画像生成手段が、露出位置にあるディスプレイの表示領域に表示させるための「第一の画像」をナビゲーション情報取得手段によって取得されたナビゲーション情報から生成する。また、画像生成手段が、隠蔽位置にあるディスプレイの表示領域におけるセンターコンソール部から露出する部分である「露出領域」に表示させるための「第二の画像」をナビゲーション情報取得手段によって取得されたナビゲーション情報から生成する。そして、ディスプレイが露出位置にある場合には、報知制御手段が、画像生成手段によって生成された第一の画像をディスプレイの表示領域に表示させる。一方、ディスプレイが隠蔽位置にある場合においてナビゲーション情報取得手段がナビゲーション情報を取得中であるときには、報知制御手段が、画像生成手段によって生成された第二の画像をディスプレイの露出領域に表示させる。
【０００９】
このように構成された本発明の表示装置によれば、ディスプレイの表示領域の一部がセンターコンソール部に隠蔽されている場合には、表示領域における隠蔽されていない部分である露出領域に表示するための画像をナビゲーション情報から生成し、その生成した画像をディスプレイの露出領域に表示する。したがって、ディスプレイの表示領域の一部がセンターコンソール部に隠蔽されている場合でも、隠蔽されていない領域である露出領域を利用して、ナビゲーション情報を継続して提供することができる。
【００１０】
なお、上述のナビゲーション情報の具体例としては、いわゆる「ｔｕｒｎ  ｂｙ  ｔｕｒｎ」ナビゲーション情報や、拡大地図、コンパスモードの画面、オフロード・ナビゲーションモードの画面などが挙げられる。
【００１１】
ところで、上述のようにディスプレイの表示領域にナビゲーション情報の表示が行われている際に、ディスプレイの表示領域の一部がセンターコンソール部に隠蔽されることで画像によるナビゲーション案内を表示する領域が限定されるときでも、何らかのナビゲーション案内が継続されれば、利用者にとっては有益である。
【００１２】
そこで、ディスプレイの一部が隠蔽されている場合においてナビゲーション案内中であるときには、ナビゲーションに関する音声によるガイダンスを継続して実行することが考えられる。具体的には、請求項２のように、ナビゲーション情報には音声によるガイダンスを示すガイダンス情報が含まれており、ガイダンス情報に基づいて音声を出力可能なスピーカを備え、ディスプレイが隠蔽位置にある場合においてナビゲーション情報取得手段がナビゲーション情報を取得中であるときには、報知制御手段が、ナビゲーション情報取得手段によって取得されたナビゲーション情報に含まれるガイダンス情報に基づいて音声をスピーカに出力させることが考えられる。
【００１３】
このようにすれば、ディスプレイの表示領域にナビゲーション情報の表示が行われている際に、ディスプレイの表示領域の一部がセンターコンソール部に隠蔽されることで画像によるナビゲーション案内を表示する領域が限定されるときでも、音声によるガイダンスによってナビゲーション案内を引き続き受けることができ、利用者の利便性を向上させることができる。
【００１４】
なお、上述のように音声によるガイダンスを継続して実行する場合に、音声ガイダンスをより詳細なものに変更することが考えられる。具体的には、請求項３のように、ナビゲーション情報に含まれるガイダンス情報には、画像によるナビゲーションが行われる場合に音声を出力するための「第一のガイダンス情報」と、画像によるナビゲーションが行われない場合に音声を出力するための「第二のガイダンス情報」と、が含まれており、ディスプレイが隠蔽位置にある場合においてナビゲーション情報取得手段がナビゲーション情報を取得中であるときには、報知制御手段が、ナビゲーション情報に含まれるガイダンス情報のうち第二のガイダンス情報に基づいて音声をスピーカに出力させることが考えられる。このようにすれば、例えば第二のガイダンス音声を詳細なものにすることにより、画像によるナビゲーション案内は受けられなくても、詳細なガイダンス音声によってナビゲーション案内を受けることができ、したがって、利用者の利便性をさらに向上させることができる。
【００１５】
また、ディスプレイの表示領域の一部がセンターコンソール部に隠蔽されている場合において、ナビゲーション案内が行われていないときには、隠蔽されていない部分に表示するための画像を車両情報またはオーディオ情報から生成して表示することが考えられる。具体的には、請求項４のように、車両情報またはオーディオ情報を取得可能な車両情報・オーディオ情報取得手段を備え、画像生成手段が、ディスプレイの露出領域に表示させるための第三の画像を車両情報・オーディオ情報取得手段によって取得された車両情報またはオーディオ情報から生成し、ディスプレイが隠蔽位置にある場合においてナビゲーション情報取得手段がナビゲーション情報を取得中ではないときには、報知制御手段が、画像生成手段によって生成された第三の画像をディスプレイの露出領域に表示させることが考えられる。
【００１６】
このようにすれば、ディスプレイの表示領域の一部がセンターコンソール部に隠蔽されている場合においてナビゲーション案内が行われていないときでも、隠蔽されていない領域である露出領域を利用して、例えば車両情報やオーディオ情報といったナビゲーション情報以外のユーザにとって有益な情報を提供することができる。
【００１７】
なお、車両情報の具体例としては、車両の速度やエンジン回転数、室内温度、室外温度、エコ情報（燃費情報、充電状態情報など）、などが挙げられる。
【発明を実施するための最良の形態】
【００１８】
以下、本発明が適用された実施形態について図面を用いて説明する。尚、本発明の実施の形態は、下記の実施形態に何ら限定されることはなく、本発明の技術的範囲に属する限り種々の形態を採りうる。
【００１９】
［構成の説明］
図１は、本発明の表示装置の機能が組み込まれたナビゲーション装置２０の概略構成を示すブロック図である。また、図３は表示部２６のディスプレイ２６ａを示す説明図であり、図３（ａ）は露出位置にあるディスプレイ２６ａを示し、図３（ｂ）は隠蔽位置にあるディスプレイ２６ａを示す。
【００２０】
ナビゲーション装置２０は車両に搭載され、車両の現在位置を検出する位置検出器２１と、利用者からの各種指示を入力するためのタッチパネル２２と、タッチパネル２２と同様に各種指示を入力可能であってナビゲーション装置２０とは別体となったリモートコントロール端末（以下、リモコンと称す）２３ａと、リモコン２３ａからの信号を入力するリモコンセンサ２３ｂと、パケット通信網等に接続して外部と通信を行う外部通信機２４と、地図データや音声データ等が記録された地図記憶媒体からデータを入力する地図データ入力器２５と、地図や各種情報の表示を行うための表示部２６と、各種のガイド音声等を出力するための音声出力部２７と、利用者が発話した音声に基づく電気信号を出力するマイクロフォン２８と、上述した位置検出器２１，タッチパネル２２，リモコンセンサ２３ｂ，外部通信機２４，地図データ入力器２５，マイクロフォン２８からの入力に応じて各種処理を実行し、外部通信機２４，表示部２６，音声出力部２７を制御する制御部２９と、を備えている。
【００２１】
位置検出器２１は、ＧＰＳ（Global Positioning System）用の人工衛星からの電波を、図示しないＧＰＳアンテナを介して受信してその受信信号を出力するＧＰＳ受信機２１ａと、車両に加えられる回転運動の大きさを検出するジャイロスコープ２１ｂと、車両の前後方向の加速度等から走行した距離を検出するための距離センサ２１ｃとを備えている。そして、これら各センサ等２１ａ〜２１ｃからの出力信号に基づいて制御部２９が、車両の位置，方位，速度等を算出する。なお、ＧＰＳ受信機２１ａからの出力信号に基づいて現在位置を求める方式は様々な方式があるが、単独測位方式、相対測位方式の何れであってもよい。
【００２２】
タッチパネル２２は、ユーザによって触れられた座標を出力するパネルから構成され、表示部２６と積層一体化されている。なお、ユーザの操作を検知する方式としては、感圧方式，電磁誘導方式，静電容量方式，あるいはこれらを組み合わせた方式など各種の方式があるが、その何れを用いてもよい。
【００２３】
外部通信機２４は、路側に設置された光ビーコンや電波ビーコン等を介してＶＩＣＳの情報センタから事故情報や渋滞情報等を取得する。
地図データ入力器２５は、図示しない地図データ記憶媒体（例えばハードディスクやＤＶＤ−ＲＯＭ等）に記憶された各種データを入力するための装置である。地図データ記憶媒体には、地図データ（ノードデータ、リンクデータ、コストデータ、背景データ、道路データ、名称データ、マークデータ、交差点データ、施設のデータ等）、案内用の音声データ、音声認識データ等が記憶されている。なお、地図データ記憶媒体からこれらのデータを入力する代わりに、通信ネットワークを介してこれらのデータを入力するようになっていてもよい。
【００２４】
表示部２６は、カラー表示装置であり、液晶ディスプレイ、有機ＥＬディスプレイ、ＣＲＴなどがあるが、その何れを用いてもよい。この表示部２６は、ディスプレイ２６ａと、駆動機構２６ｂと、を有している。このうちディスプレイ２６ａは、車両の運行に伴う種々の情報を表示可能な表示領域をそのほぼ中央に有している。そして、ディスプレイ２６ａの表示領域には、位置検出器２１にて検出した車両の現在位置と地図データ入力器２５より入力された地図データとから特定した現在地を示すマーク、目的地までの誘導経路、名称、目印、各種施設のマーク等の付加データとを重ねて表示することができる。また、施設のガイド等も表示できる。
【００２５】
また、ディスプレイ２６ａは、「隠蔽位置」（図３（ｂ）参照）と「露出位置」（図３（ａ）参照）との間で移動可能である。なお、隠蔽位置とは、車両のセンターコンソール部３０の内部にディスプレイ２６ａの表示領域の一部が隠蔽される位置を云う（図３（ｂ）参照）。なおこの場合、ディスプレイ２６ａの表示領域におけるセンターコンソール部３０に隠蔽されずに露出する部分を露出領域と云う。また、露出位置とは、センターコンソール部３０からディスプレイ２６ａの表示領域すべてが露出する位置を云う（図３（ａ）参照）。
【００２６】
また、駆動機構２６ｂは、制御部２９によって制御され、ディスプレイ２６ａを隠蔽位置と露出位置との間で移動させるよう構成されている。なお、上述の駆動機構２６ｂについては公知技術に従っているのでここではその詳細な説明は省略する。
【００２７】
音声出力部２７は、地図データ入力器２５より入力した施設のガイドや各種案内の音声を出力することができる。
マイクロフォン２８は、利用者が音声を入力（発話）するとその入力した音声に基づく電気信号（音声信号）を制御部２９に出力するものである。利用者はこのマイクロフォン２８に様々な音声を入力することにより、ナビゲーション装置２０を操作することができる。
【００２８】
制御部２９は、ＣＰＵ、ＲＯＭ、ＲＡＭ、ＳＲＡＭ、Ｉ／Ｏ及びこれらの構成を接続するバスラインなどからなる周知のマイクロコンピュータを中心に構成されており、ＲＯＭ及びＲＡＭに記憶されたプログラムに基づいて各種処理を実行する。例えば、位置検出器２１からの各検出信号に基づき座標及び進行方向の組として車両の現在位置を算出し、地図データ入力器２５を介して読み込んだ現在位置付近の地図等を表示部２６に表示する処理や、地図データ入力器２５に格納された地図データと、タッチパネル２２やリモコン２３ａ等の操作に従って設定された目的地とに基づいて現在位置から目的地までの最適な経路を算出する経路算出処理や、その算出した経路を表示部２６に表示させたり音声出力部２７に音声として出力させることにより経路を案内する経路案内処理等を実行する。
【００２９】
また、制御部２９は、タッチパネル２２から入力された操作信号やメイン電源の状態を示す信号などの制御信号に応じて、表示部２６の駆動機構２６ｂを制御することにより、表示部２６のディスプレイ２６ａの位置を隠蔽位置と露出位置とで切り替える機能を有する。また、制御部２９は、上述の車両の現在位置や経路案内などのナビゲーションに関するナビゲーション情報を取得する機能を有するとともに、外部の各種ＥＣＵから車両情報やオーディオ情報を取得する機能を有する。なお、ナビゲーション情報には音声によるガイダンスを示すガイダンス情報が含まれている。そして、制御部２９は、ディスプレイ２６ａが露出位置にある場合に、露出位置にあるディスプレイ２６ａの表示領域に表示させるためのナビゲーション画像（図３（ａ）参照）をナビゲーション情報から生成し、一方、ディスプレイ２６ａが隠蔽位置にある場合に、露出領域に表示させるための「Ｔｕｒｎ  ｂｙ  Ｔｕｒｎ」画像（図３（ｂ）参照）をナビゲーション情報から生成する機能を有する。ここで云う「Ｔｕｒｎ  ｂｙ  Ｔｕｒｎ」画像とは、直進や右折といった現在位置から目的地へ走行する際に利用者が進行方向を確認するために必要な情報から生成された画像を云う。なお、ナビゲーション画像は特許請求の範囲における第一の画像に相当し、「Ｔｕｒｎ  ｂｙ  Ｔｕｒｎ」画像は特許請求の範囲における第二の画像に相当する。
【００３０】
［動作の説明］
次に、制御部２９が実行する各種処理のうち表示内容切替処理について図２のフローチャートおよび図３を用いて説明する。なお、制御部２９が実行する一般的な処理（経路算出処理や経路案内処理等）については説明を省略する。
【００３１】
この表示内容切替処理は、運転者によってイグニッションキーが操作されてアクセサリー給電（ＡＣＣ）の状態になったときに、制御部２９にて実行される処理である。
まず、制御部２９が、ナビゲーション装置２０のメイン電源および表示部２６ａのディスプレイ２６ａの電源がオンとなっているか否かを判断する（Ｓ１１０）。ナビゲーション装置２０のメイン電源および表示部２６ａのディスプレイ２６ａの電源がオンとなっておらず、少なくとも一方の電源がオフとなっていると判断された場合には（Ｓ１１０：ＮＯ）、制御部２９が、表示部２６のディスプレイ２６ａに何れの画像も表示させないと決定し（Ｓ１６０）、Ｓ１１０に移行する。
【００３２】
一方、ナビゲーション装置２０のメイン電源および表示部２６ａのディスプレイ２６ａの電源がオンとなっていると判断された場合には（Ｓ１１０：ＹＥＳ）、制御部２９が、表示部２６のディスプレイ２６ａがセンターコンソール３０に格納されているか否かを判断する（Ｓ１２０）。一例を挙げると、制御部２９が、駆動機構２６ｂの駆動状態を示す信号や、ディスプレイ２６ａの位置を検出する位置センサからの出力信号などからディスプレイ２６ａの位置を検出してディスプレイ２６ａがセンターコンソール３０に格納されているか否かを判断するといった具合である。表示部２６のディスプレイ２６ａがセンターコンソール３０に格納されておらず、ディスプレイ２６ａの表示領域すべてが露出していると判断された場合には（Ｓ１２０：ＮＯ）、制御部２９が、ナビゲーション情報を取得し、その取得したナビゲーション情報からナビゲーション画像を生成し、その生成したナビゲーション画像をディスプレイ２６ａの表示領域に表示させる（Ｓ１７０）。なおこの場合、制御部２９が、オーディオ情報を取得し、その取得したオーディオ情報からオーディオ画像を生成し、その生成したオーディオ画像をディスプレイ２６ａの表示領域に表示させてもよい。また、制御部２９が、車両情報を取得し、その取得した車両情報から車両情報画像を生成し、その生成した車両情報画像をディスプレイ２６ａの表示領域に表示させてもよい。そして、Ｓ１１０に移行する。
【００３３】
一方、表示部２６のディスプレイ２６ａがセンターコンソール３０に格納されていると判断された場合には（Ｓ１２０：ＹＥＳ）、制御部２９が、ナビゲーション案内中であるか否かを判断する（Ｓ１３０）。なおこの場合、ナビゲーション情報がナビゲーション装置２０の各構成から出力されており、制御部２９がその出力されているナビゲーション情報を取得可能である場合に「ナビゲーション案内中である」と判断する。ナビゲーション案内中であると判断された場合には（Ｓ１３０：ＹＥＳ）、制御部２９が、ナビゲーション情報を取得し、その取得したナビゲーション情報から「Ｔｕｒｎ  ｂｙ  Ｔｕｒｎ」画像を生成し、その生成した「Ｔｕｒｎ  ｂｙ  Ｔｕｒｎ」画像をディスプレイ２６ａの表示領域の露出領域に表示させ（Ｓ１４０）、Ｓ１１０に移行する。
【００３４】
一方、ナビゲーション案内中でないと判断された場合には（Ｓ１３０：ＮＯ）、制御部２９が、オーディオ情報を取得し、その取得したオーディオ情報からオーディオ画像を生成し、その生成したオーディオ画像をディスプレイ２６ａの表示領域の露出領域に表示させ（Ｓ１５０）、Ｓ１１０に移行する。
【００３５】
［効果］
このように本実施形態のナビゲーション装置２０によれば、制御部２９が、表示内容切替処理において、表示部２６のディスプレイ２６ａがセンターコンソール部３０に格納されていると判断された場合において（Ｓ１２０：ＹＥＳ）、ナビゲーション案内中であると判断された場合には（Ｓ１３０：ＹＥＳ）、ナビゲーション情報を取得し、その取得したナビゲーション情報から「Ｔｕｒｎ  ｂｙ  Ｔｕｒｎ」画像を生成し、その生成した「Ｔｕｒｎ  ｂｙ  Ｔｕｒｎ」画像をディスプレイ２６ａの表示領域の露出領域に表示させる（Ｓ１４０）。このことにより、ディスプレイの表示領域の一部がセンターコンソール部に隠蔽されている場合でも、隠蔽されていない領域である露出領域を利用して、ナビゲーション情報を継続して提供することができる。
【００３６】
［他の実施形態］
（１）上記実施形態では、制御部２９が、表示内容切替処理において、表示部２６のディスプレイ２６ａがセンターコンソール３０に格納されていると判断された場合において（Ｓ１２０：ＹＥＳ）、ナビゲーション案内中であると判断された場合には（Ｓ１３０：ＹＥＳ）、ナビゲーション情報を取得し、その取得したナビゲーション情報から「Ｔｕｒｎ  ｂｙ  Ｔｕｒｎ」画像を生成し、その生成した「Ｔｕｒｎ  ｂｙ  Ｔｕｒｎ」画像をディスプレイ２６ａの表示領域の露出領域に表示させるが（Ｓ１４０）、これには限らない。制御部２９が、上述のナビゲーション情報の代わりにオーディオ情報を取得し、その取得したオーディオ情報からディスプレイ２６ａの露出領域に表示するためのオーディオ画像を生成し、その生成したオーディオ画像をディスプレイ２６ａの露出領域に表示させるようにしてもよい。なお、オーディオ画像は特許請求の範囲における第三の画像に相当する。このように構成しても上記実施形態と同様の作用効果を奏する。
【００３７】
（２）また、制御部２９が、上述のナビゲーション情報の代わりに車両情報を取得し、その取得した車両情報からディスプレイ２６ａの露出領域に表示するための車両情報画像を生成し、その生成した車両情報画像をディスプレイ２６ａの露出領域に表示させるようにしてもよい。なお、車両情報の具体例としては、車両の速度やエンジン回転数、室内温度、室外温度、エコ情報（燃費情報、充電状態情報など）、などが挙げられる。また、オーディオ画像および車両情報画像は特許請求の範囲における第三の画像に相当する。このように構成しても上記実施形態と同様の作用効果を奏する。
【００３８】
（３）上記実施形態では、制御部２９が、表示内容切替処理において、表示部２６のディスプレイ２６ａがセンターコンソール３０に格納されていると判断された場合において（Ｓ１２０：ＹＥＳ）、ナビゲーション案内中であると判断された場合には（Ｓ１３０：ＹＥＳ）、ナビゲーション情報を取得し、その取得したナビゲーション情報から「Ｔｕｒｎ  ｂｙ  Ｔｕｒｎ」画像を生成し、その生成した「Ｔｕｒｎ  ｂｙ  Ｔｕｒｎ」画像をディスプレイ２６ａの表示領域の露出領域に表示させるが（Ｓ１４０）、その際に、その取得したナビゲーション情報に含まれるガイダンス情報を音声出力部２７に出力させるようにしてもよい。
【００３９】
このようにすれば、ディスプレイ２６ａの表示領域にナビゲーション情報の表示が行われている際に、ディスプレイ２６ａの表示領域の一部がセンターコンソール部３０に隠蔽されることで、画像によるナビゲーション案内を表示する領域が限定されるときでも、音声によるガイダンスによってナビゲーション案内を引き続き受けることができ、利用者の利便性を向上させることができる。
【００４０】
（４）また、上述のようにガイダンス情報を音声出力部２７に出力させる際には、そのガイダンス情報をより詳細なものに変更するようにしてもよい。但し、そのためには、ナビゲーション情報に含まれるガイダンス情報に、画像によるナビゲーションが行われる場合に音声を出力するための「第一のガイダンス情報」と、画像によるナビゲーションが行われない場合に音声を出力するための「第二のガイダンス情報」と、が含まれている必要がある。このようにすれば、例えば第二のガイダンス音声を詳細なものにすることにより、画像によるナビゲーション案内を表示する領域が限定されるときでも、詳細なガイダンス音声によってナビゲーション案内を受けることができ、したがって、利用者の利便性をさらに向上させることができる。
【００４１】
［特許請求の範囲との対応］
上記実施形態と特許請求の範囲との対応を示す。制御部２９が位置制御手段、ナビゲーション情報取得手段、車両情報・オーディオ情報取得手段、画像生成手段および報知制御手段に相当する。
【図面の簡単な説明】
【００４２】
【図１】ナビゲーション装置の概略構成を示すブロック図である。
【図２】表示内容切替処理を説明するためのフローチャートである。
【図３】表示部のディスプレイを示す説明図であり、（ａ）は露出位置にあるディスプレイを示し、（ｂ）は隠蔽位置にあるディスプレイを示す。
【符号の説明】
【００４３】
２０…ナビゲーション装置、２１…位置検出器、２１ａ…ＧＰＳ受信機、２１ｂ…ジャイロスコープ、２１ｃ…距離センサ、２２…タッチパネル、２３ａ…リモコン、２３ｂ…リモコンセンサ、２４…外部通信機、２５…地図データ入力器、２６…表示部、２６ａ…ディスプレイ、２６ｂ…駆動機構、２７…音声出力部、２８…マイクロフォン、２９…制御部、３０…センターコンソール部
【図１】
2008230356.tif 000003
【図２】
2008230356.tif 000004
【図３】
2008230356.tif 000005